(57)【要約】【課題】  取付けがより容易なターン・プレートを提供する。【解決手段】  スイミング・プール１６内でターンの際に泳者の蹴り出し力を測定するためのターン・プレート１は、プール壁１７に平行な安定した位置で取り付けることができる硬いプレート２と、蹴り出し力を検出するための力センサ８とを備える。ターン・プレート１は、硬い長方形のフレーム６を有し、このフレーム６に、硬いプレート２が４箇所７で固定される。硬いプレート２は、バウ・ウェーブが通過するための複数の穴３を有する。【選択図】図１
2019072523.tif 000002
【特許請求の範囲】
【請求項１】
スイミング・プール（１６）内でターンの際に泳者の蹴り出し力を測定するためのターン・プレート（１）であって、プール壁（１７）に平行に安定して取り付けることができる硬いプレート（２）と、前記蹴り出し力を検出するための力センサ（８）とを備え、前記ターン・プレート（１）が、硬い長方形のフレーム（６）を有し、前記フレーム（６）に、前記硬いプレート（２）が、４箇所（７）で取り付けられ、前記プレート（２）が、バウ・ウェーブが通過するための複数の穴（３）を有することを特徴とするターン・プレート（１）。
【請求項２】
前記硬いプレート（２）が、カーボン、好ましくは塩素処理水に耐性がある樹脂を含む積層カーボンから形成されることを特徴とする請求項１に記載のターン・プレート（１）。
【請求項３】
前記フレーム（６）と前記硬いプレート（２）とを合わせた厚さが５０ｍｍ以下であることを特徴とする請求項１又は２に記載のターン・プレート（１）。
【請求項４】
前記フレーム（６）が、前記フレーム（６）を前記プールの縁部（１８）、好ましくはスタート・ブロック（１９）に取り付けるための少なくとも１つ、好ましくは２つの硬い固定ブラケット（１３）を有することを特徴とする請求項１から３までのいずれか一項に記載のターン・プレート（１）。
【請求項５】
各固定ブラケット（１３）を２箇所（７）で固定構成要素によって前記プールの縁部（１８）に取り付けることができること、及び／又は各固定ブラケット（１３）を２箇所（７）で固定構成要素によって前記プールの縁部（１８）に取り付けることができ、各固定ブラケット（１３）が２つのスリット（１４）を有し、前記スリット（１４）の両方がＬ字形であり、前記２つのスリット（１４）の少なくとも一方が、取付け中に傾斜角αを変えるために、前記Ｌ字形の内端部に幅広の横方向スリット（１５）を有することを特徴とする請求項４に記載のターン・プレート（１）。
【請求項６】
前記ターン・プレート（１）が、前記固定ブラケット（１３）を受け取るために前記プールの縁部（１８）又はスタート・ブロック（１９）に取り付けることができる取付デバイス（２０）を備えることを特徴とする請求項１から５までのいずれか一項に記載のターン・プレート（１）。
【請求項７】
前記取付デバイス（２０）が、前記取付デバイス（２０）に前記ターン・プレート（１）を迅速に取り付けるための少なくとも１つのクイック・リリース（２１）を有することを特徴とする請求項６に記載のターン・プレート（１）。
【請求項８】
取付デバイス（２０）と固定ブラケット（１３）との前記受取り合いが傾き調節可能であり、それにより、前記ターン・プレート（１）を、垂直に対して最大５度、好ましくは最大１０度の傾斜で取り付けることができることを特徴とする請求項６又は７に記載のターン・プレート（１）。
【請求項９】
取付デバイス（２０）と固定ブラケット（１３）との前記受取り合いが、泳ぎの方向で水平に摺動可能であり、それにより、前記ターン・プレート（１）を前記プール壁（１７）のできるだけ近くに取り付けることができることを特徴とする請求項６から８までのいずれか一項に記載のターン・プレート（１）。
【請求項１０】
前記取付デバイス（２０）を、泳ぎの方向で水平に摺動可能であるようにスタート・ブロック（１９）に取り付けることができることを特徴とする請求項６から９までのいずれか一項に記載のターン・プレート（１）。
【請求項１１】
３０ｋｇ未満の総重量を有して可動であり、約９００×６００ｍｍの表面積を有することを特徴とする請求項１から１０までのいずれか一項に記載のターン・プレート（１）。
【請求項１２】
前記力センサ（８）のそれぞれに並べて調節ピン（１０）が前記フレーム（６）に配置され、前記プール壁（１７）に対して前記フレーム（６）を支持するために、前記調節ピン（１０）を前記フレーム（６）から出るように移動させることができることを特徴とする請求項１から１１までのいずれか一項に記載のターン・プレート（１）。
【請求項１３】
前記調節ピン（１０）を、前記ターン・プレート（１）が均一に固着されるまで前記プール壁（１７）から離れるように移動させることができることを特徴とする請求項１０に記載のターン・プレート（１）。
【請求項１４】
前記プレート（２）が、各調節ピン（１０）と面一の凹部（４）を有し、前記凹部（４）により前記調節ピン（１０）に手が届くようになることを特徴とする請求項１０又は１１に記載のターン・プレート（１）。
【請求項１５】
前記力センサ（８）が、圧電性又は抵抗性の力センサであることを特徴とする請求項１から１４までのいずれか一項に記載のターン・プレート（１）。
【発明の詳細な説明】
【技術分野】
【０００１】
本発明は、スイミング・プール内でターンの際に泳者の蹴り出し力(pushing-off force)を測定するためのターン・プレートであって、プール壁に平行に安定して固定することができる硬いプレートと、蹴り出し力を決定するための力センサとを備えるターン・プレートに関する。
【背景技術】
【０００２】
今日、アスリートは、トレーニング中の動きを最適化するために、技術的器具(technical appliance)を使用することが増えている。そこで、例えばスイミング・トレーニング中、スタート・ブロックからの踏み切り力(take-off force)が測定される。また、ターンの際、即ちプール壁で向きを変えるときに泳者によって及ぼされる力を捕捉する、プール壁にあるデバイスが知られている。典型的には厚さ１００ｍｍで９００×６００ｍｍの寸法を有するそのような従来のターン・プレートは、特に取付可能性に関して問題を生じる。これらのターン・プレートは、約１８０ｋｇの重量を有しており非常に重いので、それを取り付けるために通常はクレーンが必要とされる。さらに、プール壁に穴を開けなければならず、これは労力をさらに要し、スイミング・プールの耐漏れ性(leak-tightness)を損なうことがある。さらに、ターン・プレートは、特に、それらが使用される非常に強く塩素処理された水中で耐食性を有さなければならない。さらに、ターン・プレートがスイミング・プール壁とは大きく異なるべきでないので、１００ｍｍの厚さは許容されなくなってきている。これは、泳者がスタート・ブロックにあるバーを掴んでターン・プレートに脚を置く背泳ぎのスタートに関して特に重要である。
【発明の概要】
【発明が解決しようとする課題】
【０００３】
したがって、本発明の根底にある問題は、取付けがより容易なターン・プレートを提供することである。
【課題を解決するための手段】
【０００４】
この問題は、請求項１に記載の特徴を有するターン・プレートによって解決される。特に、本発明によるターン・プレートは、硬い長方形のフレームを備え、このフレームに、プレートが、４箇所で、それぞれ力センサを介して、クランプねじによる予張力(pretension)下で取り付けられる。さらに、これらのセンサのそれぞれに並べて調節ピンがフレームに配置され、調節ピンは、プール壁に対してフレームを支持するためにフレームから出るように移動させることができる。フレームは、フレームをプール縁部に、好ましくはスタート・ブロックに取り付けるための少なくとも１つ、好ましくは２つの硬い固定ブラケットを有する。
【０００５】
そのようなターン・プレートは、２人でプール内に容易に降ろすことができ、その後、固定のために意図された取付け位置で取付けブラケットに固定することができ、この取付け位置は、プールの水面よりも上に、通常はプールの縁部又はスタート・ブロックに配置される。ターン・プレートは、取付けブラケットに固定された後、調節ピンによってプール縁部に固着することができる。したがって、プール壁に穴は必要なく、これは大きな利点である。
【０００６】
さらなる有利な実施例は、従属請求項に記載されている。
【０００７】
以下、図示される図面に関して本発明をより詳細に説明する。
【図面の簡単な説明】
【０００８】
【図１】本発明によるターン・プレートが取り付けられたスイミング・プールの詳細の概略断面図である。
【図２】本発明によるターン・プレートの斜視図である。
【図３】センサ及び調節ピンの領域内での本発明によるターン・プレートの断面図である。
【図４】本発明によるターン・プレートを取り付けるための取付デバイスの斜視図である。
【発明を実施するための形態】
【０００９】
図１は、プール壁１７と、スタート・ブロック１９が配置されたプール縁部１８とを有するスイミング・プール１６の一部分を示す。このスタート・ブロック１９には、取付デバイス２０が設けられており、取付デバイス２０に、本発明によるターン・プレート１が取り付けられる。ターン・プレート１は、プールの縁部１８に直接又は間接的に取り付けることもできる。
【００１０】
図２は、本発明によるそのようなターン・プレート１を斜視図で示し、図３は、力センサ８及び調節ピン１０の領域７内でのプレート１の詳細図である。
【００１１】
ターン・プレート１は、スイミング・プール１６内でターンの際に蹴り出し力を測定するために泳者によって使用され、また、ターン・プレート１は、プール壁１７に平行に安定して固定することができる硬いプレート２と、蹴り出し力を決定するための力センサ８とを備える。例えば、特に３次元で測定する圧電性又は抵抗性の力センサ８を使用することができる。
【００１２】
さらに、本発明によるターン・プレート１は、硬い長方形のフレーム６を備え、このフレーム６に、プレート２が、４箇所７で、それぞれ力センサ８を介して、クランプねじ９による予張力下で取り付けられる。
【００１３】
これらのセンサ８のそれぞれに並べて調節ピン１０がフレーム６に配置され、調節ピン１０は、プール壁１７に対してフレーム６を支持するためにフレーム６から出るように移動させることができる。フレーム６は、フレーム６をプール縁部１８に、好ましくはスタート・ブロック１９に取り付けるための少なくとも１つ、好ましくは２つの硬い固定ブラケット１３を有する。
【００１４】
そのようなターン・プレート１は、プール１６内に容易に搬送することができ、プール壁１７に損傷を及ぼすことなく水の外で組み立てることができる。調節ピン１０は、例えば六角レンチを使用して、ターン・プレート１が均一に固着されるまでプール壁から離れるように移動させることができる。この目的で、プレート２が、各調節ピン１０と面一の凹部４を有し、凹部４により調節ピン１０に手が届くようになると有利である。この凹部４の内部には、調節ピン１０を案内するためのブラケットが提供される。このブラケットはフレーム６に取り付けられ、それにより、プレート２は、プリロードねじ９及び力センサ８によってのみフレーム６に取り付けられる。プール壁１７を保護するために調節ピン１０の後方に支持プレート１２が配置されることがある。
【００１５】
好ましくは、プレート２は、カーボン、例えば塩素処理水に耐性がある樹脂を含む積層カーボンから形成される。これは、ターン・プレート１の実質的な軽量化を実現する。また、上記の構成によって、延び出た調節ピン１０を含むターン・プレート１の全厚さが５０ｍｍを超えないことを保証することができる。
【００１６】
さらに、プレート２が、ターン・プレート１に接近する泳者が前方に押すバウ・ウェーブが通過するための複数の穴３を有すると有利である。この手段は、測定誤差を避けるために示されている。さらに、ターン・プレート１が、調節ピン１０又はそこに取り付けられた支持プレート１２によってプール縁部１８に常に当接しなければならないことが非常に重要である。なぜなら、そうしないと、やはり測定が誤ったものになるからである。
【００１７】
好ましくは、フレーム６は、塩素及びオゾンに耐性がある高品質ステンレス鋼から形成される。これはまた、ターン・プレート１の全てのねじ及び追加の構成要素にも当てはまる。そのようなスイミング・プールの水は、非常に刺激性であり得るからである。
【００１８】
フレーム６は、好ましくは、少なくとも１つ、より好ましくは２つのハンドル５を有し、ハンドル５は、取付け中のフレーム６の取扱いを容易にする。
【００１９】
好ましい実施例では、ターン・プレート１は、図４に示される取付デバイス２０を備え、取付デバイス２０は、固定ブラケット又はブラケット１３を受け取るためにプール縁部１８又はスタート・ブロック１９に固定することができる。好ましくは、取付デバイス２０は、取付デバイス２０にターン・プレート１を迅速に取り付けるための少なくとも１つのクイック・リリース２１を有する。
【００２０】
取付デバイス２０と固定ブラケット１３との受取り合いは、ターン・プレート１を垂直に対して最大５度、好ましくは最大１０度の傾斜で取り付けることができるように傾き調節可能であるように設計することができる。これは、プール縁部１８に対するプール壁１７の角度αが９０°よりも大きいときに重要である。このようにして、ターン・プレート１の位置をプール壁１７の角度に最適に適合させることができる。
【００２１】
さらに、取付デバイス２０と固定ブラケット１３との受取り合いは、図１に矢印によって示されるように、泳ぎの方向で水平に摺動可能であり、それにより、ターン・プレート１をプール壁１７のできるだけ近くに取り付けることができる。代替として、又は追加として、取付デバイス２０は、泳ぎの方向で水平に摺動可能であるようにスタート・ブロック１９に取り付けることもできる。
【００２２】
好ましくは、各ブラケットは、プールの縁部にある固定構成要素と２箇所で取り付けられ、各ブラケットと固定構成要素とは、それら自体、例えばクイック・リリース２１によって係止される。この目的で、各固定ブラケット１３は２つのスリット１４を有し、両方のスリット１４がＬ字形を有し、２つのスリットの少なくとも一方が、取付け中に角度αを変えるために、Ｌ字形の内端部に幅広の横方向スリット１５を有する。
【００２３】
したがって、プレート２のサイズが約９００×６００ｍｍである本発明によるターン・プレート１は、３０ｋｇ未満の総重量を有し、可動であるように設計することができる。これは、２人で容易に搬送して取り付けることができる。
【符号の説明】
【００２４】
１  ターン・プレート
２  プレート
３  穴
４  凹部
５  ハンドル
６  フレーム
７  センサ及び調節ピンの位置
８  力センサ
９  クランプねじ
１０  調節ピン
１１  ソケット
１２  支持プレート
１３  固定ブラケット
１４  スリット、Ｌ字形スリット
１５  横方向スリット
１６  スイミング・プール
１７  プール壁
１８  プール縁部
１９  スタート・ブロック
２０  取付デバイス
２１  クイック・リリース
α  プール縁部の角度
【図１】
2019072523.tif 000003
【図２】
2019072523.tif 000004
【図３】
2019072523.tif 000005
【図４】
2019072523.tif 000006